(57)【要約】【課題】携帯電話からの送信される電話帳データが車載オーディオ装置で表示するまで表示画面が更新されない時に、代用電話帳データを表示する車載装置を提供することを目的とするものである。【解決手段】記録部７０に記録されていないデータを表示するとき、表示する電話帳データを携帯電話３から受信し表示部８で表示できるようになるまでは代用データ生成部６４で生成した代用電話データを表示部８で表示することができる。これにより、携帯電話からの送信される電話帳データが車載オーディオ装置で表示するまで表示画面が更新されない時に、代用電話帳データを表示することで操作性を向上させる効果を奏する。【選択図】  図２
2011211583.tif 000002
【特許請求の範囲】
【請求項１】
携帯電話と接続し前記携帯電話内の電話帳データを表示する車載オーディオ装置において、
前記携帯電話からの電話帳データを記録する記録部と、
前記記録部に記録されているデータを表示する表示部と、
前記記録部および表示部と接続され各々の動作を制御する制御部とからなり、
前記制御部と接続され、前記記録部に記録されていない電話帳データを前記携帯電話から受信し表示するまで、データ取得中メッセージを有する代用電話帳データを生成する代用データ生成部をさらに備え、
前記記録部に記録されていない電話帳データを前記携帯電話から受信し、前記表示部で表示できるようになるまでは前記代用データ生成部で生成した前記代用電話帳データを前記表示部で表示することを特徴とする車載オーディオ装置。
【発明の詳細な説明】
【技術分野】
【０００１】
本発明は、短距離無線通信により携帯電話内の電話帳データを表示する車載オーディオ装置に関するものである。
【背景技術】
【０００２】
従来は車載オーディオ装置と携帯電話を短距離無線としてのＢｌｕｅｔｏｏｔｈ（登録商標）通信を利用して接続し、携帯電話から電話帳データ、例えば、電話番号を受信し車載オーディオ装置の表示部で表示するシステムが知られている。携帯電話の電話帳データは登録件数が多く、また電話帳データを記録する車載オーディオ装置内の記録部には容量の制約がるため、車載オーディオ装置には一部の電話帳データだけ記録していた。そのため、車載オーディオ装置内に記録できなかった電話帳データは、操作者の操作で表示が必要な時に携帯電話から車載オーディオ装置へ電話帳データを転送する必要があった（例えば特許文献１参照）
【先行技術文献】
【特許文献】
【０００３】
【特許文献１】特開２００９−１１１５９０号公報
【発明の概要】
【発明が解決しようとする課題】
【０００４】
しかしながら、操作者が所望の電話番号を表示するために車載オーディオ装置の操作部を操作し、車載オーディオ装置内の記録部に記録されていない電話帳データの表示を行う場合、携帯電話からの電話帳データの転送速度は車載オーディオ装置の表示更新速度に比べて数秒遅い。そのため、表示できるまでの数秒の間、車載オーディオ装置の表示画面の電話帳データが更新されないため、操作者がさらに操作部を操作してしまう操作性の問題があった。
【０００５】
そこで本発明は、携帯電話からの送信される電話帳データが車載オーディオ装置で表示するまで表示画面が更新されない時に、代用電話帳データを表示することで操作性を向上させることを目的とする。
【課題を解決するための手段】
【０００６】
上記目的を達成するために本発明は、携帯電話と接続し携帯電話内のデータを記録する車載オーディオ装置において、携帯電話からのデータを記録する記録部と、代用電話帳データを生成する代用データ生成部、および、電話帳データを表示する表示部と、記録部、表示部、および、代用データ生成部と接続され各々の動作を制御する制御部を備えている構成を有する。
【発明の効果】
【０００７】
本発明によれば、記録部に記録されていないデータを表示するとき、表示する電話帳データを携帯電話から受信し表示部で表示できるようになるまでは代用データ生成部で生成した代用電話データを表示部で表示することができる。これにより、携帯電話からの送信される電話帳データが車載オーディオ装置で表示するまで表示画面が更新されない時に、代用電話帳データを表示することで操作性を向上させる効果を奏する。
【図面の簡単な説明】
【０００８】
【図１】本発明の一実施の形態における車載オーディオ装置を説明する図
【図２】本発明の一実施の形態における車載オーディオ装置のブロック図
【図３】本発明の一実施の形態における携帯電話の電話帳データ図
【図４】本発明の一実施の形態における車載オーディオ装置のフロー図
【図５】本発明の一実施の形態におけるステップ７での表示画面を説明する図
【図６】本発明の一実施の形態におけるステップ５での表示画面を説明する図
【図７】本発明の一実施の形態におけるステップ６での表示画面を説明する図
【発明を実施するための形態】
【０００９】
以下、本発明の一実施の形態における車載オーディオ装置について、図面を用いて説明する。図１は本発明の一実施の形態における車載オーディオ装置を説明する図である。図２は本発明の一実施の形態における車載オーディオ装置のブロック図である。
図１において、車載オーディオ装置２には操作部５と表示部８が設置されている。
【００１０】
図２において、車載オーディオ装置２の制御部８０は、操作部５、表示部８、通信モジュール４０、操作判定部６１、通信可否判定部６２、受信状況判定部６３、代用データ生成部６４、および、記録部７０と接続されている。また携帯電話３と通信するアンテナ３０は通信モジュール４０と接続されている。
携帯電話３は、Ｂｌｕｅｔｏｏｔｈ（登録商標）で、車載オーディオ装置２と通信できる携帯電話である。
【００１１】
操作部５はロータリーエンコーダからなり制御部８０を接続されている。操作者が操作部５を時計回りに回転させると正回転、半時計回りに回転させると逆回転となる。操作部５は操作量（回転方向と回転量）に応じたパルス信号を出力し制御部８０と接続し制御部８０に接続するまた、操作部５を押すと電話帳データを表示させる信号を制御部８０に送信する。
【００１２】
８はであり表示部制御部８０と接続される。携帯電話３から電話帳データが制御部８０を介して記録部７０に記録している。操作者は表示部８に表示されている電話帳データを見ながら、操作部５を操作して電話帳データを検索する。
３０はアンテナであり通信モジュール４０と接続され、携帯電話３と無線通信による通信を行うための電波を送受信する。
【００１３】
４０は通信モジュールでありアンテナ３０と制御部８０に接続される。アンテナ３０が受信した通信モジュール４０は携帯電話３からの電話帳データを制御部８０に出力する。さらに車載オーディオ装置２内の電話帳データを車載オーディオ装置２に送信させる信号を制御部８０から通信モジュール４０を介して携帯電話３に送信する。
【００１４】
６１は操作判定部であり制御部８０と接続されている。操作者が電話帳データを表示するために車載オーディオ装置２の操作部５を操作する。操作部５から操作量（回転方向と回転量）に応じたパルス信号が制御部８０を介して操作判定部６１に出力される。さらに、操作判定部６１は操作部５の操作量を検知する。例えば正回転の方向に１回転した場合、現在表示している電話帳データの１件後の電話帳データと検知する。例えば、図３で説明すると、表示する電話帳データは位置情報２のＢさんから位置情報３のＣさんとなる。
【００１５】
逆回転の方向に１回転した場合は、現在表示している電話帳データの１件前の電話帳データと検知する。例えば、図３で説明すると、表示する電話帳データは位置情報２のＢさんから位置情報１のＡさんとなる。また、操作判定部６１は操作部５より電話帳データを表示させる信号を制御部８０を介して受信する。
【００１６】
６２は通信可否判定部であり制御部８０と接続されている。Ｂｌｕｅｔｏｏｔｈ（登録商標）電話帳アクセスプロファイルで規定されるＢｌｕｅｔｏｏｔｈ（登録商標）電話帳アクセスプロファイルのプロファイル接続を実施するための通信可否の判定を行う。携帯電話３と車載オーディオ装置２がＢｌｕｅｔｏｏｔｈ技術で無線接続された際、制御部８０を介して通信可否判定部６２で接続を判定する。
【００１７】
６３は受信状況判定部であり制御部８０と接続されている。携帯電話３からの電話帳データの総件数と電話帳データが車載オーディオ装置２の記録部７０内に記録されているか否かと、操作部５で指定された電話帳データが記録部７０に受信済か未受信かを判定する。
【００１８】
６４は代用データ生成部であり制御部８０と接続される。操作者が所望の電話番号を表示するために車載オーディオ装置２の操作部５を操作しても記録部７０に電話帳データがない場合。代用データ生成部６４は表示すべき電話帳データが携帯電話３から送信され車載オーディオ装置２で表示できるようになるまで、データ取得中のメッセージである代用電話データを作成（後述で説明）する。
【００１９】
操作部５の操作量は制御部８０を介して操作判定部６１で検知されている。操作判定部６１で操作量に対応する電話帳データが記録部７０に記録されているかを受信状況判定部６３で判断する。電話帳データが記録されていないと、受信状況判定部６３から制御部８０介し代用データ生成部６４に対して電話帳データを携帯電話３の電話帳データから無線通信で転送して表示できるまでの代用電話データを作成が指示される。代用データ生成部６４は代用電話データを生成すると、表示部８で代用電話データを表示する。
７０は記録部であり制御部８０と接続される。携帯電話３からの電話帳データを制御部８０を介して電話帳データを記録する。なお、電話帳データは電話帳リスト総数及び携帯電話３である。
【００２０】
８０は制御部であり、操作部５、表示部８、操作判定部６１、通信可否判定部６２、受信状況判定部６３、代用データ生成部６４、および記録部７０と接続され各々の動作を制御する。携帯電話３からの電話帳データを記録部７０に記録する。制御部８０は記録部７０に記録した電話帳データを表示部８に表示するために電話帳データの読み出し表示部８に表示する制御を行う。制御部８０は操作部５からパルス信号の検知する。制御部８０はモジュール４０へシリアル通信を介してＢｌｕｅｔｏｏｔｈ（登録商標）通信で車載オーディオ装置２とＢｌｕｅｔｏｏｔｈ（登録商標）電話帳アクセスプロファイル接続されている携帯電話３から電話帳データの位置情報の受信を行う。制御部８０は通信モジュール４０を介して携帯電話３から受信したＢｌｕｅｔｏｏｔｈ（登録商標）電話帳アクセスプロファイルで規定されるＢｌｕｅｔｏｏｔｈ（登録商標）電話帳データをデコードする。
【００２１】
携帯電話３は複数の電話帳データが保存されている。図３は本発明の一実施の形態における携帯電話３の電話帳データ図を示す。例えば、携帯電話３内に１００件の電話帳データ（名前と電話番号）を有する場合、１００件の電話帳データ各々に位置情報１〜１００が付与されている。Ａさんの位置情報は１、Ｂさんの位置情報は２、Ｃさんの位置情報は３、Ｚさんの位置情報は１００となる。携帯電話３はＢｌｕｅｔｏｏｔｈ（登録商標）無線技術による通信機能を備え本発明の車載オーディオ装置２とデータ通信を行う。携帯電話３の電話帳データは携帯電話３内でエンコードされる。その後、Ｂｌｕｅｔｏｏｔｈ（登録商標）無線技術のＰｈｏｎｅＢｏｏｋ  Ａｃｃｅｓｓ  Ｐｒｏｆｉｌｅ（以下、「ＰＢＡＰ」とする)で規定されている電話帳リスト総数及び携帯電話３が保有する電話帳リスト内の電話帳データを車載オーディオ装置２に送信する。また、車載オーディオ装置２は携帯電話３内に格納されている電話帳データをＰＢＡＰを用いて取得する。この無線接続の方式やデータ通信方式については、Ｂｌｕｅｔｏｏｔｈ（登録商標）無線技術として公知であるため、その制御方法等に関する説明は省略する。
【００２２】
以上のように構成された車載オーディオ装置２について、図４を用いてその動作を説明する。
図４は本発明の一実施の形態における車載オーディオ装置のフロー図である。
【００２３】
操作者が電話帳データを表示するために車載オーディオ装置２の操作部５を押下操作すると制御部８０を介して操作判定部６１で電話帳データを表示させる信号を検知する（Ｓ１）。
【００２４】
次に、操作部５の操作を操作判定部６１で検知すると、制御部８０を介して通信可否判定部６２で通信モジュール４０と携帯電話３と無線通信の接続が完了しているかを判定する（Ｓ２）。通信可否判定部６２で無線通信の未接続と判定すると（Ｓ２、ＮＯ）、表示部８０に無線通信の未接続の表示を行い（Ｓ８）終了する。
【００２５】
また、ステップ２に戻って、無線通信の接続していると判定すると（Ｓ２、ＹＥＳ）、ＰＢＡＰで規定されている電話帳リスト総数と電話帳データを車載オーディオ装置２で受信する。例えば、携帯電話３が保有する電話帳リスト内の電話帳データの総数が１００件であれば、電話帳データの総数が１００件という情報を記録部７０に記録し、さらに、車載オーディオ装置２の格納部７０に記録できる電話帳データが例えば、４件のとき、Ａさん、Ｂさん、Ｃさん、および、Ｄさんの順で記録部７０に記録する。
次に、車載オーディオ装置２が受信している電話帳データ数以下の操作部５の操作量であるか否を、受信状況判定部６３が判断する（Ｓ３）。
【００２６】
車載オーディオ装置２が受信している電話帳データ数以下の操作部５の操作量であった場合（Ｓ３、ＹＥＳ）、まず、車載オーディオ装置２内の電話帳データの1つを表示部８に表示する（Ｓ７）。図５は本発明の一実施の形態におけるステップ７での表示画面を説明する図である。図５は表示部８に表示される表示画面例１〜３である。表示部８には表示画面例１〜３の１つが表示される。表示画面例２ではＢさんの電話番号を表示している。次に、操作部５を操作されたか否かを、操作判定部６１が制御部８０を介して操作部５からのパルス信号の入力で判定する（Ｓ８）。操作者が現在、表示部８に表示されている電話番号が求めていた電話番号であれば操作部５を操作しないため、パルス信号が例えば、１秒以上発生しない場合は終了する（Ｓ８、ＹＥＳ）。
【００２７】
ステップ８に戻って、現在、表示部８に表示されている電話番号が、操作者の求めていた電話番号でなければ、操作者は操作部５の操作する（Ｓ８、ＮＯ）。電話帳データが記録部７０に記録されている範囲では操作部５の操作により記録部７０の電話帳データが操作毎に表示され検索することができる。例えば、図５の表示画面例２のＢさんの電話番号と異なる電話帳番号が欲しい場合、操作者は操作部５を正回転に１回操作した場合はＢさんの電話帳データの表示から表示画面例３のＣさんの電話帳データを表示する。逆に、操作部５を逆回転に１ステップ回転した場合はＢさんの電話帳データの表示から表示画面例１Ａさんの電話帳データを表示する。また、Ａさんから正回転方向に２回操作すると、Ｂさんの電話帳データを表示してから、Ｃさんの電話帳データを表示する。操作者が希望する電話帳データが表示部８に表示されると操作部５の操作を終了するため、パルス信号が例えば、１秒以上発生しない場合は終了する。
【００２８】
次に、電話帳データが車載オーディオ装置２の記録部７０内に携帯電話３からの電話帳データが記録されていない場合で操作者が操作部５の操作し続けている場合を説明する。
【００２９】
操作者が車載オーディオ装置２が受信している電話帳データ数以上の操作部５を操作すると（Ｓ３、ＮＯ）、車載オーディオ装置２の記録部７０内に表示すべき電話帳データが記録されていないため表示部８に電話帳データが表示できなくなる。
次に、操作者が操作部５の操作を続けている間は、操作部５からのパルス信号が制御部８０を介して操作判定部に入力される（Ｓ４、ＮＯ）。
【００３０】
表示するべき電話帳データが表示できるようになるまで代用データ生成部６４で代用電話データ（図６で後述説明）を作成し表示部８で代用電話データ表示する。代用電話データの表示画面を図６で説明する。図６は本発明の一実施の形態におけるステップ５での表示画面を説明する図である。車載オーディオ装置２内の記録部７０に記録されているデータはＡさんからＤさんの順に４件分である。表示画面例４のＤさんは記録部７０に入っているので表示されるが、これ以上、操作部５が正回転に操作しても表示できる電話帳データは記録されていない。
【００３１】
そのため、携帯電話３から電話帳データのデータ取得中であるメッセージを生成するため、最後のデータの位置情報と操作判定部６１で操作した操作量による位置情報の差を検出し、検出した数を代用電話データとして表示する。例えば、図６の表示画面４のＤさんが表示部８に表示されている状態から、操作部５を正回転に１回操作すると、パルス信号は制御部８０を介して操作判定部６１に入力される。Ｄさんの位置情報は４であり、正回転に１回操作と表示すべき位置情報は４＋１で５となり、Ｅさんの電話帳データが表示の対象となる。また、Ｄさんを基準にして１回転操作したため表示画面例５のような代用電話データ「Ｓｅａｒｃｈ＋１」を作成する。代用電話データは制御部８０を介して表示部８に送信し、表示部８は「Ｓｅａｒｃｈ＋１」を表示する。さらに、正回転に１回転操作すると、Ｄさんを基準にして２回転操作したこととなるため位置情報は４＋２で６となりＦさんの電話帳データが対象になる。この場合は、Ｄさんを基準にして２回転操作したため表示画面例６のように「Ｓｅａｒｃｈ＋２」と表示する。
【００３２】
このように、車載オーディオ装置２の記録部７０に電話帳データの記録がなく、操作部５の操作がされ続けた場合。代用データ生成部６４は表示されている最後のデータの位置情報と操作量による位置情報の差をもとに代用電話データを生成し表示部８に表示する。
【００３３】
次に、電話データが車載オーディオ装置２の記録部７０内に携帯電話からの電話帳データが記録されていない場合で操作者が操作部５の操作が終了した場合を説明する。
【００３４】
ステップ４に戻って、操作者が操作部５の操作が１秒以上ない場合は、操作者の操作部５の操作が終了とする（Ｓ４、ＹＥＳ）。操作の終了により操作量が確定するため、携帯電話３から取得する所望電話帳データが確定する。車載オーディオ装置２の制御部８０から携帯電話３に所望電話帳データを送信させる信号を通信モジュール４０を介して送信する。
【００３５】
所望電話帳データを送信させる信号を受信した携帯電話３は、携帯電話３から車載オーディオ装置２に所望電話帳データを送信し、制御部８０は所望の電話帳データを受信する。受信された所望電話帳データは記憶部７０に記憶される。さらに、制御部８０から所望電話帳データが表示部８に出力され、所望電話帳データが表示部８に表示される（Ｓ６）。
【００３６】
図７は本発明の一実施の形態におけるステップ６での表示画面を説明する図である。図７で説明すると、表示画面例７の「Ｓｅａｒｃｈ＋２」の表示状態で、操作部５の操作を止めると、「Ｓｅａｒｃｈ＋２」のため記録部７０に入っていたＤさんから２つめの電話帳データであるＦさんの電話帳データを読み出すことが決定される。車載オーディオ装置２から携帯電話３に対してＦさんの電話帳データの読み出しを制御部８０から携帯電話３に対して送信する。携帯電話３から車載オーディオ装置２にＦさんの電話帳データが受信さ
れ、制御部８０はＦさんの電話帳データを表示部８で表示画面例８のように表示する。
【００３７】
以上のような構成において記録部７０に記録がない電話帳データを表示する場合は、携帯電話３から電話帳データが取得できるまでは代用データ生成部６４を備えることにより、携帯電話の電話帳データ数をもとに、記録部７０に記録され、表示されている最後のデータの位置情報と操作量による位置情報の差（相対位置情報）をもとに代用電話データが表示部８に表示される。これにより、携帯電話からの送信される電話帳データが車載オーディオ装置で表示するまで表示画面が更新されない時に、代用電話帳データを表示することで操作性を向上することができる車載オーディオ装置を提供するものとする。
【００３８】
また、携帯電話３に記録されている電話帳データの全件数、例えば、１００件に対し位置情報として何件目のデータを取得するかを表す絶対位置情報を生成して表示するようにしても同様に実施可能である。例えばＦさんは位置情報６なので。「Ｓｅａｒｃｈ  ６」となる。この場合、操作者は全体の電話帳データの数から現在の位置が直接何番目かわかるために、目標となる電話帳データまでどの程度操作すれば良いかがわかりやすい効果を奏する。
【産業上の利用可能性】
【００３９】
本発明の車載オーディオ装置は、携帯電話からの送信される電話帳データが車載オーディオ装置で表示するまで表示画面が更新されない時に、代用電話帳データを表示することで操作性を向上する効果を有し、車載オーディオ装置として利用できる。
【符号の説明】
【００４０】
２  車載オーディオ装置
３  携帯電話
５  操作部
８  表示部
３０  アンテナ
４０  通信モジュール
６１  通信可否判定手段
６２  操作判定部
６３  受信状況判定部
６４  代用データ生成部
７０  記録部  
８０  制御部
【図１】
2011211583.tif 000003
【図２】
2011211583.tif 000004
【図３】
2011211583.tif 000005
【図４】
2011211583.tif 000006
【図５】
2011211583.tif 000007
【図６】
2011211583.tif 000008
【図７】
2011211583.tif 000009